Podtech/llm-jp-corpus-v4-ja_patent huggingface dataset:
【手続補正書】
【提出日】平成27年4月10日(2015.4.10)
【手続補正１】
【補正対象書類名】特許請求の範囲
【補正対象項目名】全文
【補正方法】変更
【補正の内容】
【特許請求の範囲】
【請求項１】
Ｎ末端７０ｋＤａプロセシング部位で、またはその近くで修飾を有するヒト酸性アルファ−グルコシダーゼまたはその触媒活性断片を含むポリペプチド。
【請求項２】
修飾が：
ａ）Ｎ末端７０ｋＤａプロセシング部位で、またはその近くで高められた疎水性である修飾；
ｂ）配列番号１の位置１９５〜２０９に相当する１つまたはそれ以上のアミノ酸にある修飾；
ｃ）配列番号１の位置２００〜２０４に相当する１つまたはそれ以上のアミノ酸にある修飾；
ｄ）配列番号１の位置２０１に相当するアミノ酸にある修飾；
ｅ）より疎水性のアミノ酸による１つまたはそれ以上のアミノ酸の置換；または
ｆ）１つまたはそれ以上の疎水性アミノ酸の挿入
を含む、請求項１に記載のポリペプチド。
【請求項３】
ポリペプチドが：
ａ）配列番号１の少なくとも５００個のアミノ酸に対して少なくとも８０％の同一性；
ｂ）配列番号１の少なくとも５００個のアミノ酸に対して少なくとも９０％の同一性;または
ｃ）配列番号１の少なくとも５００個のアミノ酸に対して少なくとも９５％の同一性；を有する、請求項１または２に記載のポリペプチド。
【請求項４】
断片が、７０ｋＤａ、７６ｋＤａ、８２ｋＤａ、９５ｋＤａ、またはヒト酸性アルファ−グルコシダーゼの他の任意の触媒活性断片から選択される、請求項１〜３のいずれか１項に記載のポリペプチド。
【請求項５】
ａ）未修飾のヒト酸性アルファ−グルコシダーゼと比較したときに、より迅速なリソソームプロテアーゼプロセシングを示す、ポリペプチドである；
ｂ）ポリペプチドの少なくとも５０％が、投与２０時間以内に７０ｋＤａ形態にタンパ
ク分解プロセシングされる；または
ｃ）実質的にすべてのポリペプチドが、投与５５時間以内に７０ｋＤａ形態にタンパク分解プロセシングされる；
請求項１〜４のいずれか１項に記載のポリペプチド。
【請求項６】
請求項１〜５のいずれか１項から選択されるポリペプチドをコードする核酸。
【請求項７】
請求項６に記載の核酸により安定にトランスフェクトされた宿主細胞。
【請求項８】
請求項１〜５のいずれか１項に記載のポリペプチドの有効量を、必要とする患者に投与することを含む、組織中のグリコーゲン蓄積を低減または予防する方法。
【請求項９】
糖原病の治療に使用するための請求項１〜５のいずれか１項に記載のポリペプチドを含む医薬組成物。
【請求項１０】
組織中のグリコーゲン蓄積を低減または予防する薬剤の製造における請求項１〜５のいずれか１項に記載されたポリペプチドの使用。
【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
配列番号１のアミノ酸４２〜３３３に少なくとも９５％同一なアミノ酸配列を含み、配列番号１のアミノ酸３７９〜４３０からなる配列を含まない、エンドグリンポリペプチド。
【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
短縮型HIV Envタンパク質を含むペプチドであって、前記HIV Envタンパク質が、プロテアーゼ切断を防ぐために本来のgp120/gp41切断部位で変異し、gp41のMPERを含み、さらにトランスメンブレンドメインの前で切りつめられている、前記ペプチド。
【請求項２】
HIV Envタンパク質がC-末端に約1−10の親水性アミノ酸を含む、請求項１に記載のペプチド。
【請求項３】
約1−10のアミノ酸が3つのリジンである、請求項２に記載のペプチド。
【請求項４】
gp41のMPERが4E10エピトープ、C末端にアミノ酸配列LWYIK（配列番号２４）を含み、さらに、約1−10の本来のものではない親水性アミノ酸を前記LWYIKアミノ酸配列（配列番号：24）に対してC-末端にかつ連続して含む、請求項１に記載のペプチド。
【請求項５】
HIV Envタンパク質が、M、O、N及びPから成る群から選択されるグループに分類されるHIV-1株に由来する、請求項１に記載のペプチド。
【請求項６】
HIV Envタンパク質がHIV-1グループM株に由来し、前記HIV-1グループM株が、A、B、C、D、F、G、H、J及びKから成る群から選択される亜型（クレード）である、請求項５に記載のペプチド。
【請求項７】
亜型（クレード）がクレードCである、請求項６記載のペプチド。
【請求項８】
配列番号：1に示すアミノ酸配列と85％以上の同一性を有するアミノ酸配列を含む、請求項７に記載のペプチド。
【請求項９】
配列番号：１に示すアミノ酸配列を含む、請求項８記載のペプチド。
【請求項１０】
請求項８または９記載のアミノ酸配列をコードする核酸配列を含む核酸。
【請求項１１】
請求項１０に記載の核酸を含むベクター。
【請求項１２】
請求項１１に記載のベクターを含む宿主細胞。
【請求項１３】
配列番号：1に示すアミノ酸配列と少なくとも85％以上の同一性を有するアミノ酸配列を含むペプチドを製造する方法であって、請求項１２に記載の宿主細胞をタンパク質発現に適切な条件下で培養する工程及び当該ペプチドを単離する工程を含む、前記方法。
【請求項１４】
請求項８または９記載のペプチドを含む組成物。
【請求項１５】
さらにアジュバントを含んでもよい請求項１４に記載の組成物を非ヒト哺乳動物に投与する工程を含む、非ヒト哺乳動物でHIVに対する抗体を作製する方法。
【請求項１６】
さらにアジュバントを含んでもよい請求項１４に記載の組成物を非ヒト哺乳動物に投与する工程を含む、非ヒト哺乳動物でHIVに対する免疫を付与する方法。
【請求項１７】
請求項１−３、８または９のいずれかに記載のペプチドを含むサブユニットワクチン。
【請求項１８】
請求項１０に記載の核酸を含む核酸ワクチン。
【請求項１９】
配列番号：3、配列番号：4又は配列番号：5に示すアミノ酸配列と90％以上の同一性を有するアミノ酸配列を含むペプチド。
【請求項２０】
請求項１９記載のアミノ酸配列をコードする核酸配列を含む核酸配列。
【請求項２１】
（a）請求項１−３のいずれかに記載のペプチドを含む組成物、並びに（b）当該組成物を非ヒト哺乳動物に投与するための指示書、を含むキット。
【請求項２２】
請求項１４に記載の組成物及び（b）当該組成物を非ヒト哺乳動物に投与するための指示書、を含むキット。
【請求項２３】
請求項１０に記載の核酸を含む組成物、並びに（b）当該組成物を非ヒト哺乳動物に投与するための指示書、を含むキット。
【請求項２４】
HIV-1株が急性HIV-1感染した個体から単離される、請求項５〜７のいずれかに記載のペプチド。
【請求項２５】
HIV Envタンパク質がリーダー配列中に変異を有する、請求項１に記載のペプチド。
【請求項２６】
本来のシグナルペプチドがtPAシグナルペプチドで置き換えられる、請求項２５に記載のペプチド。
【請求項２７】
配列番号：7又は配列番号：9に示すアミノ酸配列と90％以上の同一性を有するアミノ酸配列を含むペプチド。
【請求項２８】
配列番号：７又は配列番号：９に示すアミノ酸配列を含む、請求項２７に記載のペプチド。
【請求項２９】
請求項２７に記載のアミノ酸配列をコードする核酸配列を含む核酸。
【請求項３０】
配列番号：２０に示す核酸配列を含む、請求項１０記載の核酸。
【請求項３１】
アジュバントがリポソーム処方物を含む、請求項１５に記載の方法。
【請求項３２】
リポソーム処方物が、ジミリストイルホスファチジルコリン、ジミリストイルホスファチジルグリセロール、コレステロール及びリン脂質の1つ以上を含む、請求項３１に記載の方法。
【請求項３３】
リポソーム処方物がリン脂質Aを含む、請求項３２に記載の方法。
【請求項３４】
非ヒト哺乳動物で作製される抗体が、インテグリンα4β7との結合について、短縮型HIV Envタンパク質を含むペプチドと競合する抗体である、請求項１５に記載の方法。
【請求項３５】
インテグリンα4β7と結合する、請求項１に記載のペプチド。
【手続補正書】
【提出日】平成27年2月25日(2015.2.25)
【手続補正１】
【補正対象書類名】特許請求の範囲
【補正対象項目名】全文
【補正方法】変更
【補正の内容】
【特許請求の範囲】
【請求項１】
ローフ型食品の鮮度を保持するのに好適な組成物であって、ローフ型食品の鮮度を少なくとも３時間維持することができるソースを含む組成物。
【請求項２】
ソースが、１種又は複数種のゲル成分を含む、請求項１に記載の組成物。
【請求項３】
ゲル成分が、ゼラチン、ジェランガム、キサンタンガム、ローカストビーンガム、ペクチン、カラギーナン、セルロースガム、アラビアガム、改質デンプン、及びそれらの組合せからなる群から選択される、請求項２に記載の組成物。
【請求項４】
ソースが、約１１ｃＰ〜約４４ｃＰの範囲の粘度を備える、請求項１に記載の組成物。
【請求項５】
ソースと関連したローフ型食品をさらに含む、請求項１に記載の組成物。
【請求項６】
ローフ型食品の鮮度を保持するための方法であって、ローフ型食品、及びローフ型食品の鮮度を少なくとも３時間維持することができるソースを、容器に加えるステップを含み、容器の開口部が、ソースの反対側にある、方法。
【請求項７】
容器が開けられてローフ型食品が容器から取り出された時に、ソースがローフ型食品の上部を覆う、請求項６に記載の方法。
【請求項８】
ソースが、ローフ型食品の量の約１０重量％〜約５０重量％の範囲の量である、請求項６に記載の方法。
【請求項９】
ソースが、１種又は複数種のゲル成分を含む、請求項６に記載の方法。
【請求項１０】
ゲル成分が、ゼラチン、ジェランガム、キサンタンガム、ローカストビーンガム、ペクチン、カラギーナン、セルロースガム、アラビアガム、改質デンプン、及びそれらの組合せからなる群から選択される、請求項９に記載の方法。
【請求項１１】
ソースが、約１１ｃＰ〜約４４ｃＰの範囲の粘度を含む、請求項６に記載の方法。
【請求項１２】
ローフ型食品の鮮度を保持するのに好適な組成物であって、ローフ型食品の鮮度を少なくとも３時間維持することができるゲルを含む組成物。
【請求項１３】
ゲルが、１種又は複数種のゲル成分を含む、請求項１２に記載の組成物。
【請求項１４】
ゲル成分が、ゼラチン、ジェランガム、キサンタンガム、ローカストビーンガム、ペクチン、カラギーナン、セルロースガム、アラビアガム、改質デンプン、及びそれらの組合せからなる群から選択される、請求項１３に記載の組成物。
【請求項１５】
ゲルが、約４５ｃＰ〜約６６ｃＰの範囲の粘度を有する、請求項１２に記載の組成物。
【請求項１６】
ゲルと関連したローフ型食品をさらに含む、請求項１２に記載の組成物。
【請求項１７】
ローフ型食品の鮮度を保持するための方法であって、ローフ型食品、及びローフ型食品の鮮度を少なくとも３時間維持することができるゲルを、容器に加えるステップを含み、容器の開口部が、ゲルの反対側にある、方法。
【請求項１８】
ゲルが、ローフ型食品の量の約１０重量％〜約５０重量％の範囲の量である、請求項１７に記載の方法。
【請求項１９】
ゲルが、１種又は複数種のゲル成分を含む、請求項１７に記載の方法。
【請求項２０】
ゲル成分が、ゼラチン、ジェランガム、キサンタンガム、ローカストビーンガム、ペクチン、カラギーナン、セルロースガム、アラビアガム、改質デンプン、及びそれらの組合せからなる群から選択される、請求項１９に記載の方法。
【請求項２１】
ゲルが、約４５ｃＰ〜約６６ｃＰの範囲の粘度を有する、請求項１７に記載の方法。
【手続補正書】
【提出日】平成27年3月3日(2015.3.3)
【手続補正１】
【補正対象書類名】特許請求の範囲
【補正対象項目名】全文
【補正方法】変更
【補正の内容】
【特許請求の範囲】
【請求項１】
非病原性の生ＩＰＮＶであり、ＩＰＮＶに感受性であることを知られている宿主で少なくとも３継代後で病原性ウイルスへ戻らず、前記ウイルスは、成熟ＶＰ２タンパク質又は前駆体ＶＰ２タンパク質をコードする核酸を含み、前記タンパク質の位置２５２、２８１、２８２及び３１９のアミノ酸残基が、それぞれＡｓｎ、Ｓｅｒ、Ａｓｐ及びＧｌｕである、非病原性の生ＩＰＮＶ。
【請求項２】
請求項１に記載の非病原性の生ＩＰＮＶであり、１２℃の温度で淡水中に保持される大西洋サケ幼魚に、力価２ｘ１０５ＴＣＩＤ５０／ｍｌでの浸漬によって送達されると、前記幼魚をＲＴＧ−２細胞での再単離による測定でウイルス陽性とする、非病原性の生ＩＰＮＶ。
【請求項３】
請求項１に記載の非病原性の生ＩＰＮＶであり、１２℃の温度で淡水中に保持される大西洋サケ幼魚に、力価２ｘ１０５ＴＣＩＤ５０／ｍｌでの浸漬によって送達されると、前記幼魚に、非感染幼魚と比較してＩＰＮ病に対する保護を与える、非病原性の生ＩＰＮＶ。
【請求項４】
請求項１に記載の非病原性の生ＩＰＮＶであり、１２℃の温度で淡水中に保持される大西洋サケ幼魚に、力価２ｘ１０５ＴＣＩＤ５０／ｍｌでの浸漬によって送達されると、前記幼魚に、いかなるＩＰＮ病の兆候も発生させない、非病原性の生ＩＰＮＶ。
【請求項５】
請求項１に記載の非病原性の生ＩＰＮＶであって、前記ウイルスが、配列番号１の１〜４４２残基で表されるアミノ酸配列と少なくとも８０％の配列相同性を持つアミノ酸配列であり、前記タンパク質の位置２５２、２８１、２８２及び３１９のアミノ酸残基は、それぞれＡｓｎ、Ｓｅｒ、Ａｓｐ及びＧｌｕであるアミノ酸配列を含むタンパク質をコードする核酸を含む、非病原性の生ＩＰＮＶ。
【請求項６】
請求項１に記載の非病原性の生ＩＰＮＶであり、前記タンパク質の位置２２１のアミノ酸残基は、Ｔｈｒである、非病原性の生ＩＰＮＶ。
【請求項７】
請求項１に記載の非病原性の生ＩＰＮＶであり、前記タンパク質の位置２１７のアミノ酸残基は、Ｐｒｏある、非病原性の生ＩＰＮＶ。
【請求項８】
請求項１に記載の非病原性の生ＩＰＮＶであり、ＩＰＮＶ−Ｇ７００と名付けられる（寄託番号：ＥＣＡＣＣ−Ｎｏ．１１０４１２０１）、又は前記寄託された株と類似の遺伝子型及び／又は表現型の株である、非病原性の生ＩＰＮＶ。
【請求項９】
請求項１に記載の非病原性の生ＩＰＮＶであり、１２℃の温度で淡水中に保持される大西洋サケ幼魚に、力価２ｘ１０５ＴＣＩＤ５０／ｍｌでの浸漬によって送達されると、
−前記幼魚をＲＴＧ−２細胞での再単離による測定でウイルス陽性とし：
−前記幼魚を免疫組織化学による測定でウイルス陰性とし：
−前記幼魚に、非感染幼魚と比較してＩＰＮ病に対する保護を与え；及び
−前記幼魚に、いかなるＩＰＮ病の兆候も発生させない、非病原性の生ＩＰＮＶ。
【請求項１０】
請求項１に記載の非病原性の生ＩＰＮＶを含むワクチン。
【請求項１１】
ワクチンとして使用するための請求項１に記載の非病原性の生ＩＰＮＶ。
【請求項１２】
幼魚におけるＩＰＮ病に対するワクチンとして使用するための請求項１に記載の非病原性の生ＩＰＮＶ又は請求項１０に記載のワクチン。
【請求項１３】
ＩＰＮ病に対するワクチンとして使用するための請求項１に記載の非病原性の生ＩＰＮＶ又は請求項１０に記載のワクチンであって、分布は浸漬又は経口投与による、非病原性の生ＩＰＮＶ又はワクチン。
【請求項１４】
寄託番号ＥＣＡＣＣ−Ｎｏ．１１０４１２０１の非病原性の生ＩＰＮＶ。
【手続補正書】
【提出日】平成27年4月3日(2015.4.3)
【手続補正１】
【補正対象書類名】特許請求の範囲
【補正対象項目名】全文
【補正方法】変更
【補正の内容】
【特許請求の範囲】
【請求項１】
電気機器を駆動するために開ループ制御が使用されている間動作するように構成され、回転起電力ベクトルと、電気機器を制御するように構成されているインバータによって発生する電流励起ベクトルとの間の角度に関連する信号E_I_angleを出力するように構成されている、電気機器を制御する制御システムで使用するオブザーバであって、
前記オブザーバは、和項を有する反復計算によって前記角度を決定し、前記和項は推定される起電力位置ベクトルに対する回転起電力ベクトルの直交成分の変化を合計する、オブザーバ。
【請求項２】
請求項１に記載のオブザーバを備える電気機器の制御システムであって、
前記オブザーバによって出力される角度を使用して前記回転起電力位置ベクトルの前記推定角度位置を更新する、電気機器の制御システム。
【請求項３】
前記オブザーバは、出力信号がプルアウト状態に近い状態を示す閾値よりも低い値に達したとき、閉ループ制御に移行する時間を決定するために、前記出力信号E_I_angleを使用するように構成されている、請求項２に記載の制御システム。
【請求項４】
前記オブザーバは、開ループ駆動されている電気機器のトルク監視システムとして、前記出力信号E_I_angleを使用するように構成されており、前記回転起電力ベクトルと前記電流励起ベクトルとの間が大きな角度であることより示される、負荷トルクが比較的低いレベルの間は、前記オブザーバは前記電流励起ベクトルの大きさを減少するように前記インバータに指示するように構成されている、請求項２又は請求項３に記載の制御システム。
【請求項５】
前記オブザーバは、開ループ駆動されている電気機器のトルク監視システムとして、前記出力信号E_I_angleを使用するように構成されており、前記回転起電力ベクトルと前記電流励起ベクトルとの間が小さな角度であることより示される、負荷トルクが比較的高いレベルの間は、前記オブザーバは前記電流励起ベクトルの大きさを増加するように前記インバータに指示するように構成されている、請求項２から請求項４のいずれか１項に記載の制御システム。
【請求項６】
前記オブザーバは、開ループ駆動されている電気機器のトルク監視システムとして、前記出力信号E_I_angleを使用するように構成されており、前記回転起電力ベクトルと前記電流励起ベクトルとの間が大きな角度であることより示される、負荷トルクが比較的低いレベルの間は、前記オブザーバは前記電流励起ベクトルの大きさを、前記オブザーバの出力信号E_I_angleがプルアウト状態に近い状態を示す閾値より低い値に達するまで徐々に減少するように前記インバータに指示し、閉ループ制御への移行が円滑に開始され得るように構成されている請求項２から請求項５のいずれか１項に記載の制御システム。
【請求項７】
同期電動機を制御するように構成されている、請求項２から請求項６のいずれか１項に記載の制御システム。
【請求項８】
請求項２から請求項７のいずれか１項に記載の制御システムを備える電気機器。
【請求項９】
電気機器を駆動するために開ループ制御が使用されている間オブザーバを動作させ、前記オブザーバの出力は、回転起電力ベクトルと、電気機器を制御するように構成されているインバータによって発生する電流励起ベクトルとの間の角度に関連する信号E_I_angleであって、
前記オブザーバで和項を有する反復計算によって前記角度を決定し、前記和項は推定される起電力位置ベクトルに対する回転起電力ベクトルの直交成分の変化を合計するものであり、
前記オブザーバによって出力される角度を使用して前記回転起電力位置ベクトルの前記推定角度位置を更新する、電気機器を制御する方法。
【請求項１０】
回転起電力ベクトルと、前記電気機器を制御するために発生する電流励起ベクトルとの間の角度E_I_angleを決定し、
１以上の制御信号を前記電気機器に印加し、前記制御信号はE_I_angleに依存して決定されるものであり、
前記E_I_angleに基づいて前記起電力位置ベクトルを更新し、
前記E_I_angleは和項を有する反復計算によって決定され、前記和項は推定される起電力位置ベクトルに対する回転起電力ベクトルの直交成分の変化を合計する、開ループ制御構造において電気機器の動作を制御する方法。
【請求項１１】
E_I_angleが以下の式によって決定され、
【数１】
2014513911.tif 000001
Es_imagは前記回転起電力ベクトルの前記直交成分、kiはEs_realに対して反比例するゲイン、及びkpはゲイン値である、請求項１０に記載の方法。
【請求項１２】
kpがEs_realに反比例する、請求項１１に記載の方法。
【請求項１３】
前記電気機器に対する１以上の制御信号の印加は、開ループ制御構造から閉ループセンサーレス制御構造への移行を含む、請求項１０から請求項１２のいずれか１項に記載の方法。
【請求項１４】
開ループ制御構造から閉ループセンサーレス制御構造への移行が、E_I_angleの大きさがプルアウト値で表される閾値以下であることと、最大電流励起がすでに前記電気機器に印加されていることに依存する、請求項１３に記載の方法。
【請求項１５】
E_I_angleが負及びプルアウト角度で表される閾値より大きい場合、前記電気機器に対する１以上の制御信号の印加は、前記電気機器の電流励起の減少を含む、請求項１０から請求項１４のいずれか１項に記載の方法。
【請求項１６】
E_I_angleの大きさがプルアウト角度で表される閾値より小さく、さらに前記電気機器に対する前記最大励起電流がまだ印加されていない場合、前記電気機器に対して１以上の制御信号の印加は、前記電気機器の電流励起の増加を含む、請求項１０から請求項１５のいずれか１項に記載の方法。
【請求項１７】
前記励起電流の増加又は減少があらかじめ決められた増分値による、請求項１５又は請求項１６に記載の方法。
【請求項１８】
コンピュータで読みこまれるときに、請求項１０から請求項１７のいずれか１項に記載の方法を実行するように構成されたコンピュータプログラムを備える非一時的なコンピュータが読み取り可能な媒体。
【手続補正書】
【提出日】平成27年1月28日(2015.1.28)
【手続補正１】
【補正対象書類名】特許請求の範囲
【補正対象項目名】全文
【補正方法】変更
【補正の内容】
【特許請求の範囲】
【請求項１】
複数の多能性細胞を含有する組成物と、
前記組成物を保持し、かつ、ポリマーからなる基質を含む容器と
を含む、包装製品。
【請求項２】
前記ポリマーがポリテトラフルオロエチレン（ＰＴＦＥ）、ペルフルオロアルコキシ（ＰＦＡ）、フッ化エチレンプロピレン（ＦＥＰ）、ポリフッ化ビニリデン（ＰＶＤＦ）、ポリエチレン、またはポリ塩化ビニル（ＰＶＣ）である、請求項１に記載の包装製品。
【請求項３】
前記容器がバッグ、チューブ、シリンジ、または注射器用バイアルである、請求項１に記載の包装製品。
【請求項４】
前記多能性細胞が幹細胞、造血幹細胞、間葉系幹細胞、胚性幹細胞、ＣＤ３４＋細胞、またはＣＤ１３３＋細胞である、請求項１に記載の包装製品。
【請求項５】
前記組成物が末梢血細胞、臍帯血細胞、骨髄細胞、または胎盤血細胞を含有する、請求項１に記載の包装製品。
【請求項６】
前記組成物が５〜３０℃、１０〜３０℃、または１５〜２５℃の範囲内の温度を有する、請求項１に記載の包装製品。
【請求項７】
前記組成物が培養培地またはＣＯ２非依存性培地を含有する、請求項１に記載の包装製品。
【請求項８】
前記培地が血清またはヒト血清を含有する、請求項７に記載の包装製品。
【請求項９】
請求項１に記載の包装製品を作製するための方法であって、前記方法は、
多能性細胞を含有する組成物を準備する工程；
ポリマーからなる基質を含む容器を準備する工程；
前記組成物を前記容器に入れる工程；および
前記容器を密封する工程、
を含む、方法。
【請求項１０】
多能性細胞を輸送するための方法であって、請求項１に記載の包装製品を準備する工程、および前記包装製品を受取人に配送する工程、を含む、方法。
【請求項１１】
前記配送する工程が５〜３０℃、１０〜３０℃、または１５〜２５℃の範囲内の温度で行われる、請求項１０に記載の方法。
【請求項１２】
配送時、前記多能性細胞が４０％を超える回収率または７０％を超える生存率を有する、請求項１０に記載の方法。
【請求項１３】
配送時、前記多能性細胞が０．５％を超えるＣＤ３４＋細胞または０．２５％を超えるＣＤ１３３＋細胞を有する、請求項１０に記載の方法。
【請求項１４】
配送時、前記多能性細胞が２ＣＦＵ／５×１０４細胞より多く形成可能である、請求項１０に記載の方法。
【請求項１５】
前記配送する工程が少なくとも１日、少なくとも３日、または少なくとも５日かけて行われる、請求項１０に記載の方法。
【手続補正２】
【補正対象書類名】明細書
【補正対象項目名】発明の名称
【補正方法】変更
【補正の内容】
【発明の名称】幹細胞の包装製品並びに同包装製品を作製する方法および輸送する方法
【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
体細胞の再プログラム化によって人工多能性幹（iPS）細胞を作製する生体外の方法であって、
体細胞を、（1）Zscan4、または、Patl2、Pramel6、Piwil2、D5Ertd577eの中から選択されるZscan4依存性遺伝子と、（2）少なくとも1つの、または少なくとも2つの、または少なくとも3つの、または少なくとも4つの再プログラム化因子、に接触させることを含む、方法。
【請求項２】
前記少なくとも1つの、または少なくとも2つの、または少なくとも3つの、または少なくとも4つの再プログラム化因子が、c-Myc、Klf4、Oct4、Sox2、Lin28、Nanogから選択される、請求項1に記載の方法。
【請求項３】
前記体細胞を、2つ、または3つ、または4つの再プログラム化因子に接触させ、
（i）その４つの再プログラム化因子が、c-Myc、Klf4、Oct4、Sox2である;または
（ii）その４つの再プログラム化因子が、Lin28、Nanog、Oct4、Sox2である；または
（iii）その3つの再プログラム化因子が、Klf4、Oct4、Sox2である；または
（iv）その2つの再プログラム化因子が、Oct4、Sox2である、請求項1または2に記載の方法。
【請求項４】
前記体細胞をZscan4またはZscan4依存性遺伝子に接触させることが、Zscan4タンパク質またはZscan4依存性遺伝子タンパク質をコードしている核酸分子をその体細胞に導入することを含む、請求項1〜3のいずれか1項に記載の方法。
【請求項５】
前記体細胞を少なくとも1つの再プログラム化因子に接触させることが、少なくとも1つの再プログラム化因子タンパク質をコードしている核酸分子をその体細胞に導入することを含む、請求項1〜4のいずれか1項に記載の方法。
【請求項６】
前記核酸分子が、前記Zscan4タンパク質または前記Zscan4依存性遺伝子タンパク質をコードしているmRNA、または前記再プログラム化因子タンパク質をコードしているmRNAを含む、請求項4または5に記載の方法。
【請求項７】
前記体細胞をZscan4またはZscan4依存性遺伝子に接触させることが、Zscan4タンパク質またはZscan4依存性遺伝子タンパク質をその体細胞に導入することを含む、請求項1〜3のいずれか1項に記載の方法。
【請求項８】
前記体細胞が、組織幹細胞、前駆細胞、分化した細胞のいずれかである、請求項1〜7のいずれか1項に記載の方法。
【請求項９】
前記組織幹細胞が、神経幹細胞、造血幹細胞、間充織幹細胞、脂肪幹細胞のいずれかである、請求項8に記載の方法。
【請求項１０】
前記分化した細胞が、線維芽細胞、好ましくはT細胞またはB細胞であるリンパ球、肝細胞、上皮細胞、筋肉細胞、脂肪細胞、心筋細胞、膵臓β細胞、角化細胞、羊水細胞、末梢血細胞、血小板、アストロサイトのいずれかである、請求項8に記載の方法。
【請求項１１】
前記体細胞をZscan4と少なくとも1つの再プログラム化因子に接触させることを含み、好ましくは前記Zscan4のアミノ酸配列が、配列番号8または配列番号2と少なくとも95％一致する、請求項1〜10のいずれか1項に記載の方法。
【請求項１２】
前記体細胞をPatl2と少なくとも1つの再プログラム化因子に接触させることを含み、好ましくは前記Patl2のアミノ酸配列が、配列番号39または配列番号47と少なくとも95％一致する、請求項1〜10のいずれか1項に記載の方法。
【請求項１３】
前記体細胞をPramel6と少なくとも1つの再プログラム化因子に接触させることを含み、好ましくは前記Pramel6のアミノ酸配列が、配列番号41または配列番号40と少なくとも95％一致する、請求項1〜10のいずれか1項に記載の方法。
【請求項１４】
前記体細胞をPiwil2と少なくとも1つの再プログラム化因子に接触させることを含み、好ましくは前記Piwil2のアミノ酸配列が、配列番号43または配列番号49と少なくとも95％一致する、請求項1〜10のいずれか1項に記載の方法。
【請求項１５】
前記体細胞をD5Ertd577eと少なくとも1つの再プログラム化因子に接触させることを含み、好ましくは前記D5Ertd577eのアミノ酸配列が、配列番号45と少なくとも95％一致する、請求項1〜10のいずれか1項に記載の方法。
【請求項１６】
前記体細胞を、Zscan4と、Patl2、Pramel6、Piwil2、D5Ertd577eの中から選択した少なくとも1つのZscan4依存性遺伝子と、少なくとも1つの再プログラム化因子に接触させることを含む、請求項1〜10のいずれか1項に記載の方法。
【請求項１７】
請求項1〜16のいずれか1項に記載の方法に従って製造されて単離されたiPS細胞。
【手続補正書】
【提出日】平成27年5月1日(2015.5.1)
【手続補正１】
【補正対象書類名】特許請求の範囲
【補正対象項目名】全文
【補正方法】変更
【補正の内容】
【特許請求の範囲】
【請求項１】
細菌において抗生物質標的として機能する必須遺伝子を同定する方法であって、
（ａ）活性化トランスポゾン（ＴｎＡ）でのトランスポゾン突然変異誘発によって変異細菌のプールを生成するステップであって、ＴｎＡは、細菌ＤＮＡへのトランスポゾン挿入が挿入部位又はその付近の遺伝子の転写を増大させるようなプロモーターを含む、ステップと、
（ｂ）種々の量の前記抗生物質の存在下で変異体プールから細菌を増殖させて２種以上の試験培養物を得るステップと、
（ｃ）試験培養物間でＴｎＡ挿入の分布を比較して、前記細菌において前記抗生物質の標的として機能する推定必須遺伝子を同定するステップと、
を含む方法。
【請求項２】
ステップ（ａ）において、変異細菌のプールを生成するために２種以上の異なる活性化トランスポゾンの組み合わせが使用される、請求項１に記載の方法。
【請求項３】
変異細菌のプールは、少なくとも０．５×１０５個の変異体、例えば、
（ａ）少なくとも１×１０５個の変異体、
（ｂ）少なくとも５×１０５個の変異体、
（ｃ）少なくとも１×１０６個の変異体、
（ｄ）０．５×１０６〜２×１０６個の変異体、又は
（ｅ）約１×１０６個の変異体
を含む、請求項１又は２に記載の方法。
【請求項４】
トランスポゾン突然変異誘発ステップ（ａ）は、
（ａ）細菌ＤＮＡの５０塩基対当たり少なくとも１つのトランスポゾン、
（ｂ）細菌ＤＮＡの３０塩基対当たり少なくとも１つのトランスポゾン、
（ｃ）細菌ＤＮＡの２５塩基対当たり少なくとも１つのトランスポゾン、
（ｄ）細菌ＤＮＡの１５塩基対当たり少なくとも１つのトランスポゾン、又は
（ｅ）細菌ＤＮＡの１０塩基対当たり少なくとも１つのトランスポゾン
の挿入率をもたらす、請求項１〜３のいずれか一項に記載の方法。
【請求項５】
ステップ（ａ）の細菌ＤＮＡは、
（ａ）染色体（ゲノム）ＤＮＡ、
（ｂ）プラスミドＤＮＡ、又は
（ｃ）染色体（ゲノム）ＤＮＡとプラスミドＤＮＡとの混合物
である、請求項１〜４のいずれか一項に記載の方法。
【請求項６】
ステップ（ａ）のトランスポゾン突然変異誘発はｉｎ  ｖｉｖｏ又はｉｎ  ｖｉｔｒｏで生じる、請求項１〜５のいずれか一項に記載の方法。
【請求項７】
（ａ）細菌はグラム陽性細菌であり、任意選択で、グラム陽性細菌は、エンテロコッカス・フェカリス（Ｅｎｔｅｒｏｃｏｃｃｕｓ  ｆａｅｃａｌｉｓ）、エンテロコッカス・フェシウム（Ｅｎｔｅｒｏｃｏｃｃｕｓ  ｆａｅｃｉｕｍ）、及びナイセリア・ゴノレー（Ｎｅｉｓｓｅｒｉａ  ｇｏｎｏｒｒｈｏｅａｅ）から選択される、又は
（ｂ）細菌はグラム陰性細菌であり、任意選択で、グラム陰性細菌は、クレブシエラ・ニューモニエ（Ｋｌｅｂｓｉｅｌｌａ  ｐｎｅｕｍｏｎｉａｅ）、アシネトバクター・バウマニ（Ａｃｉｎｅｔｏｂａｃｔｅｒ  ｂａｕｍａｎｉｉ）、エシェリキア・コリ（Ｅｓｃｈｅｒｉｃｈｉａ  ｃｏｌｉ）、Ｅ．コリ（Ｅ．  ｃｏｌｉ）ＳＴ１３１株、シュードモナス・エルギノーサ（Ｐｓｅｕｄｏｍｏｎａｓ  ａｅｒｕｇｉｎｏｓａ）、エンテロバクター・クロアカ（Ｅｎｔｅｒｏｂａｃｔｅｒ  ｃｌｏａｃａｅ）、エンテロバクター・エロゲネス（Ｅｎｔｅｒｏｂａｃｔｅｒ  ａｅｒｏｇｅｎｅｓ）、及びナイセリア・ゴノレー（Ｎｅｉｓｓｅｒｉａ  ｇｏｎｏｒｒｈｏｅａｅ）から選択される、
請求項１〜６のいずれか一項に記載の方法。
【請求項８】
ステップ（ｂ）において、
（ａ）変異体プールの１０７〜１０９ｃｆｕ、例えば約１０８ｃｆｕを増殖培地に接種することによって変異体プールから細菌を増殖させる、及び／又は
（ｂ）約０．５、約１及び約２×ＭＩＣの濃度の抗生物質の存在下で変異体プールから細菌を増殖させて少なくとも３種の試験培養物を得る、
請求項１〜７のいずれか一項に記載の方法。
【請求項９】
試験培養物のＴｎＡ挿入の分布は、ＴｎＡの挿入部位に隣接した又はその付近のＤＮＡを配列決定することによって比較される、請求項１〜８のいずれか一項に記載の方法。
【請求項１０】
ＴｎＡの挿入部位に隣接した又はその付近のＤＮＡの配列決定は、
（ａ）トランスポゾン−細菌ＤＮＡ接合部の選択的増幅、及び／又は
（ｂ）合成による配列決定（ＳＢＳ）の生化学
を含み、任意選択で、
（ａ）ＴｎＡ挿入部位に隣接した又はその付近のＤＮＡの約２５、５０、７５、１００塩基対又は１００を超える塩基対が配列決定される、及び／又は
（ｂ）配列決定されるＤＮＡはＴｎＡ挿入部位の５’及び／又は３’である、
請求項９に記載の方法。
【請求項１１】
前記推定必須遺伝子に必須の機能を割り当てるステップをさらに含む、請求項１〜１０のいずれか一項に記載の方法であって、
（ａ）前記推定必須遺伝子への必須の機能の割り当ては、前記細菌の１つ又は複数の必須遺伝子との配列比較によって行われ、任意選択で、挿入の際に不活性化するトランスポゾンを用いたトランスポゾン指向性挿入部位配列決定によって前記必須遺伝子が同定される、又は
（ｂ）前記推定必須遺伝子への必須の機能の割り当ては、前記推定必須遺伝子が抗生物質耐性遺伝子ではないことを決定することによって行われ、任意選択で、決定ステップは、挿入の際に不活性化するトランスポゾンを用いたトランスポゾン指向性挿入部位配列決定によって抗生物質耐性遺伝子を同定するステップを含む、
方法。
【請求項１２】
前記細菌の抗生物質耐性変異体を、前記抗生物質の存在下での増殖について選択を行って抗生物質耐性変異体クローン（ＡｂＲ変異体）を得るステップを含む方法によって生成するステップと、
（ｉ）前記細菌の１つ又は複数の必須遺伝子と、（ｉｉ）細菌ＤＮＡを挿入により不活性化するトランスポゾンと、でＡｂＲ変異体を形質転換して、前記１つ又は複数の必須遺伝子について部分二倍体であるトランスポゾン変異体のプールを得るステップと、
種々の量の前記抗生物質の存在下で部分二倍体プールから細菌を増殖させて２種以上の試験培養物を得るステップと、
試験培養物間でトランスポゾン挿入の分布を比較して、前記細菌において前記抗生物質の標的として機能する推定必須遺伝子を同定するステップと、
をさらに含む、請求項１〜１１のいずれか一項に記載の方法。
【請求項１３】
請求項１〜１２のいずれか一項に記載の方法に従って、前記抗生物質の標的として機能する必須遺伝子を同定するステップを含む、抗生物質の同定方法。
【請求項１４】
請求項１３に記載の方法を含む、抗生物質の製造方法。
【請求項１５】
前記抗生物質を合成するステップをさらに含み、
合成された抗生物質を薬学的に許容される賦形剤と混合して医薬組成物を得るステップを任意選択でさらに含む、
請求項１４に記載の方法。
【手続補正書】
【提出日】平成27年5月1日(2015.5.1)
【手続補正１】
【補正対象書類名】特許請求の範囲
【補正対象項目名】全文
【補正方法】変更
【補正の内容】
【特許請求の範囲】
【請求項１】
リグノセルロース系バイオマスから生成されるＣ６単糖およびＣ６オリゴ糖のレベルを高める方法において、
セルロース；および
リグニン；
を含む第１固体画分；
第１液体画分；
を含むリグノセルロース系バイオマスを提供する工程と、
任意に、前記第１固体画分と前記第１液体画分を分離する工程と、
前記第１固体画分を水と混合して、スラリーを形成する工程と、
前記スラリーを圧力約２２５バール〜約２５０バールにて温度約２１０℃〜約２４０℃に予熱する工程と、
前記スラリーを第２反応流体と接触させて、
リグニン；
を含む第２固体画分；
Ｃ６単糖、Ｃ６オリゴ糖、およびその混合物からなる群から選択される可溶性Ｃ６サッカリド；
を含む第２液体画分；
を含む第２反応混合物を形成する工程であって、
前記第２反応流体が、圧縮熱水、任意に二酸化炭素を含み；
前記第２反応流体が、超臨界状態で前記第２反応流体を維持するのに十分な圧力下にて、少なくとも約３７３℃の温度にある工程と、
前記第２反応流体の温度を約１４０℃未満の温度に下げる工程と、
任意に、前記第２液体画分を加水分解して、より低い単量体単位を有するＣ６オリゴ糖、グルコース、ガラクトース、マンノース、フルクトース、およびその混合物からなる群から選択される少なくとも１種類のＣ６サッカリドを含む組成物が形成される工程と、
を含むことを特徴とする、方法。
【請求項２】
請求項１に記載の方法において、さらに、前記スラリーを、滞留時間約５秒〜約１分の間、圧力約２００バール〜約２６０バールにて温度約２４５℃〜約２５５℃に予熱する工程を含むことを特徴とする、方法。
【請求項３】
請求項１に記載の方法において、前記第２反応混合物が、圧力約２００バール〜約２６０バールにて温度約３５８℃〜約３８０℃を有することを特徴とする、方法。
【請求項４】
請求項１に記載の方法において、前記スラリーを前記第２反応流体と約５秒未満の間、接触させることを特徴とする、方法。
【請求項５】
請求項１に記載の方法において、前記温度を下げる工程の前に、前記第２反応混合物が、圧力約２００バール〜約２６０バールにて温度約２６０℃〜約２８０℃に冷却されることを特徴とする、方法。
【請求項６】
前記提供工程前に、前記リグノセルロース系バイオマスを分画する工程をさらに含む、請求項１に記載の方法において、
分画の前記工程が、圧縮熱水、任意に二酸化炭素を含む第１反応流体と前記リグノセルロース系バイオマスを接触させることを含み；
前記リグノセルロース系バイオマスが軟木を含む場合に、前記第１反応流体がさらに酸を含み；
前記第１反応流体が、液体状態で前記第１反応流体を維持するのに十分な圧力下にて、少なくとも約１００℃の温度であることを特徴とする、方法。
【請求項７】
請求項１に記載の方法において、連続的であることを特徴とする、方法。
【請求項８】
請求項１に記載の方法において、前記第２反応混合物の温度を下げる前記工程が、水を含む組成物と前記第２反応混合物を接触させることを含むことを特徴とする、方法。
【請求項９】
請求項８に記載の方法において、前記組成物がさらに、少なくとも１種類のＣ１〜Ｃ５アルコールを含むことを特徴とする、方法。
【請求項１０】
請求項１に記載の方法において、前記第２反応混合物の温度を下げる前記工程が、水および酸を含む組成物と前記第２反応混合物を接触させることを含み、前記酸が、前記組成物の全重量に対して約１重量％未満のレベルで存在することを特徴とする、方法。
【請求項１１】
請求項１０に記載の方法において、前記組成物がさらに、少なくとも１種類のＣ１〜Ｃ５アルコールを含むことを特徴とする、方法。
【請求項１２】
請求項１に記載の方法において、前記第２液体画分を加水分解する前記工程が、酵素的に行われることを特徴とする、方法。
【請求項１３】
請求項１に記載の方法において、前記第２液体画分を加水分解する前記工程が、固定化酵素を用いて行われることを特徴とする、方法。
【請求項１４】
請求項１に記載の方法において、前記第２液体画分を加水分解する前記工程が実施され、少なくとも１種類の水性酸を添加することを含むことを特徴とする、方法。
【請求項１５】
請求項１に記載の方法において、前記第２液体画分を加水分解する前記工程が実施され、その場で酸を形成する気体化合物との接触を含むことを特徴とする、方法。
【請求項１６】
請求項１に記載の方法において、前記第２液体画分を加水分解する前記工程が実施され、少なくとも１種類の固体酸触媒との接触を含むことを特徴とする、方法。
【請求項１７】
請求項１に記載の方法において、前記グルコースの収率が、理論収量の少なくとも約６３％であることを特徴とする、方法。
【請求項１８】
請求項１に記載の方法において、さらに、
前記第２液体画分を加水分解して、より低い単量体単位を有するＣ６オリゴ糖、グルコース、ガラクトース、マンノース、フルクトース、およびその混合物からなる群から選択される少なくとも１種類のＣ６サッカリドを含む組成物が形成される工程と、
前記Ｃ６サッカリドを発酵、触媒、またはその組み合わせによって、発酵生成物、触媒生成物、またはその混合物へと変換する工程と、
を含むことを特徴とする、方法。
【請求項１９】
請求項１に記載の方法において、
前記第１固体画分と前記第１液体画分を分離する工程が実施されることを特徴とする方法。
【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
挿管、高度気道確保、心肺蘇生、若しくは換気治療を受けている患者で使用するための二酸化炭素モニタリングシステムであって、
患者から呼吸ガスを受信し、前記ガスの二酸化炭素含量を検知して二酸化炭素測定信号を生成する二酸化炭素センサと、
前記二酸化炭素測定信号を二酸化炭素信号ストリームとしてデジタル化して保存するプリプロセッサと、
複数の呼吸候補を識別する、前記二酸化炭素信号ストリームに応答する呼吸候補検出器と、
各呼吸候補に対する呼気終末二酸化炭素値を決定する呼吸キャラクタライザと、
各呼吸候補を前記呼吸候補呼気終末二酸化炭素値に基づいて真の呼吸若しくは外部ＣＰＲ圧迫の結果として生じるアーチファクトとして分類する呼吸分類器と、
患者治療の有効性を決定する、前記呼吸分類器からの複数の真の呼吸に応答する治療分析器と、
前記患者治療の有効性に関する出力命令を提供する出力生成器とを有する、二酸化炭素モニタリングシステム。
【請求項２】
前処理された二酸化炭素信号ストリームからノイズを除去するフィルタをさらに有する、請求項１に記載の二酸化炭素モニタリングシステム。
【請求項３】
前記呼吸キャラクタライザがさらに各呼吸候補について波形基線、波形振幅、波形周波数、波形勾配、波形リズム、及び波形コーナーの少なくとも一つを決定し、さらに前記呼吸分類器が各呼吸候補について波形基線、波形振幅、波形周波数、波形勾配、波形リズム、及び波形コーナーの少なくとも一つに基づいて各呼吸候補を真の呼吸若しくはアーチファクトとして分類する、請求項１に記載の二酸化炭素モニタリングシステム。
【請求項４】
前記治療分析器への治療入力をさらに有し、前記治療分析器がさらに前記患者治療の有効性を決定するために前記治療入力に応答する、請求項１に記載の二酸化炭素モニタリングシステム。
【請求項５】
前記治療入力が前記二酸化炭素センサにおける呼吸ガスの受信の開始を示すスイッチを有する、請求項４に記載の二酸化炭素モニタリングシステム。
【請求項６】
前記出力命令が、呼吸が受信されないこと若しくは異常二酸化炭素波形の一つを有する異常状態に応答する、請求項１に記載の二酸化炭素モニタリングシステム。
【請求項７】
前記出力命令が前記高度気道確保をチェックするための視覚若しくは聴覚の助言を有する、請求項１に記載の二酸化炭素モニタリングシステム。
【請求項８】
前記出力命令が前記複数の真の呼吸からの呼気終末二酸化炭素値における減少を有する異常状態に応答する、請求項１に記載の二酸化炭素モニタリングシステム。
【請求項９】
前記出力命令が心肺蘇生の有効性の視覚若しくは聴覚の助言を有する、請求項８に記載の二酸化炭素モニタリングシステム。
【請求項１０】
前記出力命令が気道閉塞、無呼吸、若しくは望ましくない換気率の一つを有する異常状態に応答する、請求項１に記載の二酸化炭素モニタリングシステム。
【請求項１１】
前記出力命令が患者チェック若しくは換気装置調節設定の一つを有する、請求項１０に記載の二酸化炭素モニタリングシステム。
【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
第２のビデオゲームプラットフォーム用に書かれたビデオゲームの実行を強化するために、
第１のビデオゲームプラットフォームで模倣する方法で、その方法は以下からなる：
第２のビデオゲームプラットフォーム用に書かれた入力信号を受信する；
第２のビデオゲームプラットフォーム用に書かれた入力信号を解析する；
設定基準に従い、入力信号からのコントロール信号を遮断する；
第１のビデオゲームプラットフォーム用に強化されたコントロール信号を発生させるコン
トロール信号を強化する；および、
強化されたコントロール信号を出力する。
【手続補正書】
【提出日】平成27年1月22日(2015.1.22)
【手続補正１】
【補正対象書類名】特許請求の範囲
【補正対象項目名】全文
【補正方法】変更
【補正の内容】
【特許請求の範囲】
【請求項１】
クロストリジウム・ディフィシレ(C. difficile)により産生されるトキシンに結合するアプタマーであって、トキシンがトキシンＡ、トキシンＢ、バイナリートキシンＡ鎖、およびバイナリートキシンＢ鎖から選択されるアプタマー。
【請求項２】
Ｃ−５位において修飾した少なくとも１つのピリミジンを含む、請求項１に記載のアプタマー。
【請求項３】
Ｃ−５位において修飾した少なくとも１つのピリミジンが、独立して図９に示す少なくとも１つの修飾から選択されるＣ−５修飾を含む、請求項２に記載のアプタマー。
【請求項４】
Ｃ−５位において修飾した少なくとも１つのピリミジンが、独立してベンジルカルボキシアミド、ナフチルメチルカルボキシアミド、トリプタミノカルボキシアミド、チロシルカルボキシアミド、２−ナフチルメチルカルボキシアミドおよびフェネチル−１−カルボキシアミドから選択されるＣ−５修飾を含む、請求項２に記載のアプタマー。
【請求項５】
アプタマーがさらに少なくとも１つの追加の化学修飾を含み、その少なくとも１つの追加の化学修飾が、独立してリボース位置、デオキシリボース位置、ホスフェート位置、および塩基位置からなる群から選択される１以上の位置における化学置換である、請求項２に記載のアプタマー。
【請求項６】
少なくとも１つの追加の化学修飾が、独立して、２’−位の糖修飾、２’−アミノ（２’−ＮＨ２）、２’−フルオロ（２’−Ｆ）、２’−Ｏ−メチル（２’−ＯＭｅ）、シトシン環外アミンにおける修飾、５−ブロモウラシルの置換、５−ブロモデオキシウリジンの置換、５−ブロモデオキシシチジンの置換、主鎖修飾、メチル化、３’キャップ、および５’キャップからなる群から選択される、請求項５に記載のアプタマー。
【請求項７】
アプタマーがクロストリジウム・ディフィシレ(C. difficile)トキシンＡ、トキシンＢ、バイナリートキシンＡ鎖、またはバイナリートキシンＢ鎖に対して３０ｎＭ以下のＫｄを含む、請求項４に記載のアプタマー。
【請求項８】
被験試料中のクロストリジウム・ディフィシレ(C. difficile)トキシンの存在を検出する方法であって、被験試料を請求項１〜６のいずれか１項に記載のアプタマーと接触させることを含む方法。
【請求項９】
検出方法がプルダウンアッセイ、ドットブロットアッセイ、ＰＣＲアッセイ、またはサンドイッチアッセイから選択される、請求項８に記載の方法。
【請求項１０】
以下のいずれかの配列を含むアプタマー：
ＳＥＱ  ＩＤ  ＮＯ：１〜４、６〜１０、１２〜１４、１６〜２２、２４〜２７もしくは２９〜３１またはそのフラグメントからなる群から選択される配列；
ＳＥＱ  ＩＤ  ＮＯ：３３〜４６、４８〜６５、６７〜７４、７６〜８２、８４〜８９、９１〜９４、９６〜９７もしくは９９〜１０８またはそのフラグメントからなる群から選択される配列；
ＳＥＱ  ＩＤ  ＮＯ：１０９、１１１〜１２３、１２６〜１３３、１３５〜１３８、１４０〜１４４もしくは１４６〜１５０またはそのフラグメントからなる群から選択される配列；および
ＳＥＱ  ＩＤ  ＮＯ：１５３〜１５６、１５８〜１６２またはそのフラグメントからなる群から選択される配列。
【請求項１１】
ＳＥＱ  ＩＤ  ＮＯ：５、１１、１５、２３および２８またはそのフラグメントからなる群から選択される配列を含むアプタマー。
【請求項１２】
アプタマーがクロストリジウム・ディフィシレ(C. difficile)トキシンＡに結合する、請求項１１に記載のアプタマー。
【請求項１３】
アプタマーがクロストリジウム・ディフィシレ(C. difficile)トキシンＡに対して３０ｎＭ以下のＫｄを含む、請求項１２に記載のアプタマー。
【請求項１４】
ＳＥＱ  ＩＤ  ＮＯ：３２、４７、６６、７５、８３、９０、９５および９８またはそのフラグメントからなる群から選択される配列を含むアプタマー。
【請求項１５】
アプタマーがクロストリジウム・ディフィシレ(C. difficile)トキシンＢに結合する、請求項１４に記載のアプタマー。
【請求項１６】
アプタマーがクロストリジウム・ディフィシレ(C. difficile)トキシンＢに対して３０ｎＭ以下のＫｄを含む、請求項１５に記載のアプタマー。
【請求項１７】
ＳＥＱ  ＩＤ  ＮＯ：１１０、１２４〜１２５、１３４、１３９および１４５またはそのフラグメントからなる群から選択される配列を含むアプタマー。
【請求項１８】
アプタマーがクロストリジウム・ディフィシレ(C. difficile)バイナリートキシンＡ鎖に結合する、請求項１７に記載のアプタマー。
【請求項１９】
アプタマーがクロストリジウム・ディフィシレ(C. difficile)バイナリートキシンＡ鎖に対して３０ｎＭ以下のＫｄを含む、請求項１８に記載のアプタマー。
【請求項２０】
ＳＥＱ  ＩＤ  ＮＯ：１５１〜１５２および１５７またはそのフラグメントからなる群から選択される配列を含むアプタマー。
【請求項２１】
アプタマーがクロストリジウム・ディフィシレ(C. difficile)バイナリートキシンＢ鎖に結合する、請求項２０に記載のアプタマー。
【請求項２２】
アプタマーがクロストリジウム・ディフィシレ(C. difficile)バイナリートキシンＢ鎖に対して３０ｎＭ以下のＫｄを含む、請求項２１に記載のアプタマー。
【請求項２３】
被験試料中のクロストリジウム・ディフィシレ(C. difficile)トキシンの存在を検出する方法であって、被験試料を請求項１１、１４、１７または２０のいずれか１項に記載のアプタマーと接触させることを含む方法。
【請求項２４】
検出方法がプルダウンアッセイ、ドットブロットアッセイ、ＰＣＲアッセイ、またはサンドイッチアッセイから選択される、請求項２３に記載の方法。
【請求項２５】
サンドイッチアッセイが以下のいずれかである、請求項２４に記載の方法：
アプタマー−標的−抗体アッセイであり、その際、アプタマーを支持体に固定化し、固定化されたアプタマーに結合した標的を、抗体を用いて検出する；
抗体−標的−アプタマーアッセイであり、その際、抗体を支持体に固定化し、固定化された抗体に結合した標的を、アプタマーを用いて検出する；および
アプタマー−標的−アプタマーアッセイであり、その際、第１アプタマーを支持体に固定化し、固定化された第１アプタマーに結合した標的を、第２アプタマーを用いて検出する。